【手続補正書】
【提出日】平成16年7月1日(2004.7.1)
【手続補正１】
【補正対象書類名】明細書
【補正対象項目名】特許請求の範囲
【補正方法】変更
【補正の内容】
【特許請求の範囲】
【請求項１】
建物の壁面の設計に使用されたＣＡＤデータを使用して、建物の壁面全体に、所定の幅Ｗの防水シートを互いにＬだけオーバーラップするように敷き詰めるシミュレーションを実行して、前記防水シートの施工場所を検出する防水シート施工場所データ抽出手段と、
前記ＣＡＤデータを使用して、互いに傾きの異なる３以上の壁面の境界が集まったところを含む、前記敷き詰められた防水シートの端を押さえるための防水補助材の施工場所を検出する防水補助材施工場所データ抽出手段と、
前記防水補助材を施工するための壁面を検出し、検出した部分の壁面図に相当するデータを抽出する壁面図データ抽出手段と、
前記防水シート施工場所データ抽出手段と、防水補助材施工場所データ抽出手段と、壁面図データ抽出手段が抽出したデータを使用して、前記壁面図を使用して、前記壁面の境界線から一定幅の帯状部分を選択して、該当箇所に取り付ける前記防水補助材の輪郭を決定する防水補助材輪郭決定手段と、
前記防水補助材輪郭決定手段によって決定された前記防水補助材の輪郭データに基づいて、所定の材料を裁断して、防水補助材を製造する防水補助材カッティングマシンとを備えたことを特徴とする防水補助材の製造装置。
【請求項２】
コンピュータにより、建物の壁面の設計に使用されたＣＡＤデータを使用して、防水シートの施工場所を検出する処理と、防水シートの端を押さえるための防水補助材の施工場所を検出する処理と、前記防水補助材を施工するための壁面を検出する処理と、前記壁面の境界線から一定幅の帯状部分を選択して、該当箇所に取り付ける前記防水補助材の輪郭を決定する処理を、順に実行し、決定された前記防水補助材の輪郭データに基づいて、防水補助材カッティングマシンにより所定の材料を裁断してなるものであって、
折り目を境にして、それぞれ別々に裁断された複数枚の展開部品と、
前記展開部品のそれぞれ対応する辺を接合するための接合部材とから成ることを特徴とする建物の防水補助材組み立てキット。
【請求項３】
請求項２に記載の防水補助材組み立てキットにおいて、
前記一部の展開部品は、
壁面の傾斜が異なる場合であっても、共通の形状とされていることを特徴とする建物の防水補助材組み立てキット。
【請求項４】
コンピュータにより、建物の壁面の設計に使用されたＣＡＤデータを使用して、防水シートの施工場所を検出する処理と、防水シートの端を押さえるための防水補助材の施工場所を検出する処理と、前記防水補助材を施工するための壁面を検出する処理と、前記壁面の境界線から一定幅の帯状部分を選択して、該当箇所に取り付ける前記防水補助材の輪郭を決定する処理を、順に実行し、決定された前記防水補助材の輪郭データに基づいて、防水補助材カッティングマシンにより所定の材料を切断してなるものであって、
折り目を境にして、それぞれ別々に裁断された複数枚の展開部品と、前記展開部品のそれぞれ対応する辺を接合した接合部材とから成ることを特徴とする建物の防水補助材。
【請求項５】
コンピュータにより、建物の壁面の設計に使用されたＣＡＤデータを使用して、防水シートの施工場所を検出する処理と、防水シートの端を押さえるための防水補助材の施工場所を検出する処理と、前記防水補助材を施工するための壁面を検出する処理と、前記壁面の境界線から一定幅の帯状部分を選択して、該当箇所に取り付ける前記防水補助材の輪郭を決定する処理を、順に実行し、決定された前記防水補助材の輪郭データに基づいて、防水補助材カッティングマシンにより所定の材料を切断してなるものであって、
折り目を介して複数枚の展開部品を一体化し、前記折り目の部分に折れ線が印刷されたことを特徴とする建物の防水補助材。
【請求項６】
互いに傾きの異なる壁面の境界で、前記壁面に敷き詰められた防水シートの端を押さえるためのものであって、
前記壁面の境界部分にある折り目を境にして、それぞれ別々に裁断された複数枚の展開部品と、
前記展開部品の折り目においてそれぞれ対応する辺を接合するための接合部材とを含むことを特徴とする建物の防水補助材組み立てキット。
【手続補正２】
【補正対象書類名】明細書
【補正対象項目名】０００８
【補正方法】変更
【補正の内容】
【０００８】
【課題を解決するための手段】
本発明は次の構成により上記の課題を解決する。
〈構成１〉
建物の壁面の設計に使用されたＣＡＤデータを使用して、建物の壁面全体に、所定の幅Ｗの防水シートを互いにＬだけオーバーラップするように敷き詰めるシミュレーションを実行して、上記防水シートの施工場所を検出する防水シート施工場所データ抽出手段と、上記ＣＡＤデータを使用して、互いに傾きの異なる３以上の壁面の境界が集まったところを含む、上記敷き詰められた防水シートの端を押さえるための防水補助材の施工場所を検出する防水補助材施工場所データ抽出手段と、上記防水補助材を施工するための壁面を検出し、検出した部分の壁面図に相当するデータを抽出する壁面図データ抽出手段と、上記防水シート施工場所データ抽出手段と、防水補助材施工場所データ抽出手段と、壁面図データ抽出手段が抽出したデータを使用して、上記壁面図を使用して、上記壁面の境界線から一定幅の帯状部分を選択して、該当箇所に取り付ける上記防水補助材の輪郭を決定する防水補助材輪郭決定手段と、上記防水補助材輪郭決定手段によって決定された上記防水補助材の輪郭データに基づいて、所定の材料を裁断して、防水補助材を製造する防水補助材カッティングマシンとを備えたことを特徴とする防水補助材の製造装置。  
【手続補正３】
【補正対象書類名】明細書
【補正対象項目名】０００９
【補正方法】変更
【補正の内容】
【０００９】
〈構成２〉
コンピュータにより、建物の壁面の設計に使用されたＣＡＤデータを使用して、防水シートの施工場所を検出する処理と、防水シートの端を押さえるための防水補助材の施工場所を検出する処理と、上記防水補助材を施工するための壁面を検出する処理と、上記壁面の境界線から一定幅の帯状部分を選択して、該当箇所に取り付ける上記防水補助材の輪郭を決定する処理を、順に実行し、決定された上記防水補助材の輪郭データに基づいて、防水補助材カッティングマシンにより所定の材料を裁断してなるものであって、折り目を境にして、それぞれ別々に裁断された複数枚の展開部品と、上記展開部品のそれぞれ対応する辺を接合するための接合部材とから成ることを特徴とする建物の防水補助材組み立てキット。
【手続補正４】
【補正対象書類名】明細書
【補正対象項目名】００１０
【補正方法】変更
【補正の内容】
【００１０】
〈構成３〉
構成２に記載の防水補助材組み立てキットにおいて、上記一部の展開部品は、壁面の傾斜が異なる場合であっても、共通の形状とされていることを特徴とする建物の防水補助材組み立てキット。
【手続補正５】
【補正対象書類名】明細書
【補正対象項目名】００１１
【補正方法】変更
【補正の内容】
【００１１】
〈構成４〉
コンピュータにより、建物の壁面の設計に使用されたＣＡＤデータを使用して、防水シートの施工場所を検出する処理と、防水シートの端を押さえるための防水補助材の施工場所を検出する処理と、上記防水補助材を施工するための壁面を検出する処理と、上記壁面の境界線から一定幅の帯状部分を選択して、該当箇所に取り付ける上記防水補助材の輪郭を決定する処理を、順に実行し、決定された上記防水補助材の輪郭データに基づいて、防水補助材カッティングマシンにより所定の材料を切断してなるものであって、折り目を境にして、それぞれ別々に裁断された複数枚の展開部品と、上記展開部品のそれぞれ対応する辺を接合した接合部材とから成ることを特徴とする建物の防水補助材。
【手続補正６】
【補正対象書類名】明細書
【補正対象項目名】００１２
【補正方法】変更
【補正の内容】
【００１２】
〈構成５〉
コンピュータにより、建物の壁面の設計に使用されたＣＡＤデータを使用して、防水シートの施工場所を検出する処理と、防水シートの端を押さえるための防水補助材の施工場所を検出する処理と、上記防水補助材を施工するための壁面を検出する処理と、上記壁面の境界線から一定幅の帯状部分を選択して、該当箇所に取り付ける上記防水補助材の輪郭を決定する処理を、順に実行し、決定された上記防水補助材の輪郭データに基づいて、防水補助材カッティングマシンにより所定の材料を切断してなるものであって、折り目を介して複数枚の展開部品を一体化し、上記折り目の部分に折れ線が印刷されたことを特徴とする建物の防水補助材。
【手続補正７】
【補正対象書類名】明細書
【補正対象項目名】００１３
【補正方法】変更
【補正の内容】
【００１３】
〈構成６〉
互いに傾きの異なる壁面の境界で、上記壁面に敷き詰められた防水シートの端を押さえるためのものであって、上記壁面の境界部分にある折り目を境にして、それぞれ別々に裁断された複数枚の展開部品と、上記展開部品の折り目においてそれぞれ対応する辺を接合するための接合部材とを含むことを特徴とする建物の防水補助材組み立てキット。